(57)【要約】      （修正有）【課題】  原稿表面の反射特性によって黒色に読取られた画像を軽減できる画像データを得ることが可能な、画像読取りセンサ装置を提供する。【解決手段】  光源から発する光とセンサ素子に入射する角度の関係が、原稿表面の色データ読取りに適する角度と原稿表面の反射特性読取りに適する角度との、複数の角度を持つように設定したことを特徴とする画像読取りセンサ装置。【選択図】 図１
2007036569.tif 000002
【特許請求の範囲】
【請求項１】
光電変換をするセンサ素子と、棒状の導光体の長手方向の端部に光源素子を設け、光源素子から発した光を導光体の内面反射を利用して線状に読取り原稿面に照射する方式の光源と、前記原稿面からの反射光を前記センサ上に結像するレンズを持つ画像読取りセンサ装置で、
前記光源から発する光とセンサ素子に入射する角度の関係が、原稿表面の色データ読取りに適する角度と原稿表面の反射特性読取りに適する角度との、複数の角度を持つように設定したことを特徴とする画像読取りセンサ装置。
【請求項２】
原稿表面の反射特性読取りに適する光源の照射角度は、原稿からの反射光が結像レンズとセンサ素子に正反射に近い角度で入射することを特徴とする請求項１記載の画像読取りセンサ装置。
【請求項３】
前記導光体は、一つの導光体で複数の照射角度に対応したことを特徴とする請求項１または２に記載の画像読取りセンサ装置。
【請求項４】
光源素子はＬＥＤとしたことを特徴とする請求項１ないし３のいずれかに記載の画像読取りセンサ装置。
【請求項５】
前記レンズは、ロッドレンズであることを特徴とする請求項１ないし４のいずれかに記載の画像読取りセンサ装置。
【発明の詳細な説明】
【技術分野】
【０００１】
本発明は、特にカラー原稿画像を読み取る画像読取装置に係る画像読取りセンサ装置に関するものである。
【背景技術】
【０００２】
従来の画像読取りセンサ装置としては、光源から発する光とセンサ素子に入射する角度の関係が、原稿表面の色データ読取りに適する拡散反射光が光センサに入射する角度を有するのみとなっていることが知られている（図４参照）（例えば、特許文献１参照）。
【特許文献１】特開２００２−５１１８９号公報
【発明の開示】
【発明が解決しようとする課題】
【０００３】
しかしながら従来の画像読取りセンサ装置では、専ら原稿表面の色データ読取りに適する照射角を有するのみとなっているので、読取りを行おうとしている原稿が高い反射率のバックグラウンドの場合、原稿を照射した光がセンサ素子に到達しないことから、結果として黒色に読取られてしまう、という問題があった。
【０００４】
本発明は、このような従来の問題点に鑑みてなされたものであって、簡単な構成で、原稿表面の反射特性によって黒色に読取られた画像を軽減できる画像データを得ることが可能な、画像読取りセンサ装置を提供することにある。
【課題を解決するための手段】
【０００５】
光源から発する光とセンサ素子に入射する角度の関係が、原稿表面の色データ読取りに適する角度と原稿表面の反射特性読取りに適する角度との、複数の角度を持つように設定した。
【０００６】
すなわち、本発明の技術内容は以下の構成を備えることにより前記課題を解決できた。
【０００７】
（１）光電変換をするセンサ素子と、棒状の導光体の長手方向の端部に光源素子を設け、光源素子から発した光を導光体の内面反射を利用して線状に読取り原稿面に照射する方式の光源と、前記原稿面からの反射光を前記センサ上に結像するレンズを持つ画像読取りセンサ装置で、前記光源から発する光とセンサ素子に入射する角度の関係が、原稿表面の色データ読取りに適する角度と原稿表面の反射特性読取りに適する角度との、複数の角度を持つように設定したことを特徴とする画像読取りセンサ装置。
【発明の効果】
【０００８】
本発明によれば、光源から発する光とセンサ素子に入射する角度の関係が、原稿表面の色データ読取りに適する角度と原稿表面の反射特性読取りに適する角度との、複数の角度を持つように設定したことにより、簡単な構成で、原稿表面の反射特性によって黒色に読取られた画像を軽減できる画像データを得ることが可能となり、良好な品質の画像読取りセンサ装置を提供することが可能となった。
【発明を実施するための最良の形態】
【０００９】
以下本発明を実施するための最良の形態を、実施例により詳しく説明する。
【実施例】
【００１０】
図１と図３は本発明実施例の画像読取りセンサ装置の要部断面図であり、図１〜図３で、１はライトガイド、１ａは光源からの光出射部、１ｂは光源からの光出射部、２は原稿台、３は原稿、４はセンサ基板、５はラインセンサ素子、６は筐体、７はロッドレンズ、８は光源のＬＥＤ、９は光源のＬＥＤである。
【００１１】
図１は、本発明実施例の画像読取りセンサ装置で、原稿表面の色データ読取りに適する角度での照明光と反射光の光路を示す図であり、原稿表面の色データ読取りに適する複数の波長の光源ＬＥＤ９から発した光が、棒状ライトガイド１の光出射部１ａから出射し、ガラスなどの透光部材で作られた原稿台２を透過、原稿台に載置された印刷物や写真などの原稿３を照射する。そして照射された原稿からの拡散反射光が原稿台２を透過して、ロッドレンズ７を透過し、ラインセンサ素子５に結像する。
【００１２】
図２は、本発明実施例の画像読取りセンサ装置で、原稿表面の色データ読取りに適する角度での照明光と反射光の光路で、原稿の地が高い反射率を持っている場合の光路を示す図であり、原稿表面の色データ読取りに適する光源ＬＥＤ９から発した光が、棒状ライトガイド１の光出射部１ａから出射し、ガラスなどの透光部材で作られた原稿台２を透過、原稿台に載置された印刷物や写真など原稿３を照射する。ここで、照射された原稿の地が高い反射率を持っている場合はその面からの正反射角度に近い角度の反射光が原稿台２を透過して、ロッドレンズ７には入射せずに筐体部分に到達し、ラインセンサ素子５は受光することがない。
【００１３】
図３は、本発明実施例の画像読取りセンサ装置で、原稿表面の反射特性読取りに適する角度での光路を示す図であり、原稿表面の反射特性読取りに適する光源ＬＥＤ８から発した光が、棒状ライトガイド１の光出射部１ｂから出射し、ガラスなどの透光部材で作られた原稿台２を透過、原稿台状に載置された原稿３を照射する。そして照射された原稿からの正反射角度に近い角度の反射光が原稿台２を透過して、ロッドレンズ７を透過し、ラインセンサ素子５に結像する。
【００１４】
ここで、光源ＬＥＤ８から発した光が、原稿から正反射角度に近い角度で反射する光を、ラインセンサ素子５に結像するように投受光の角度配置を設定したことにより、原稿表面が高い反射率を持っている面の反射特性に応じた光をより高感度にラインセンサ素子５が受光することができる。
【００１５】
また、一つの棒状ライトガイド１で、複数の角度から原稿を照射するように光源を配置したことにより、小型で簡単な構成で、センサ素子に入射する角度の関係が、原稿表面の色データ読取りに適する角度と、原稿表面の反射特性読取りに適する角度との、複数の角度で、原稿の読取りが可能となった。
【００１６】
上述した実施の形態は、一例として掲げたものであり、本発明を限定するものではない。すなわち本発明は、前述した好ましい実施例に限られるものではなく、角度配置をロッドレンズ１と光出射部１ｂを入れ換えて用いる構成など、本発明の要旨を逸脱しない範囲で、種々の態様にて実施可能なことは言うまでもない。
【図面の簡単な説明】
【００１７】
【図１】本発明実施例の画像読取りセンサ装置の要部断面図
【図２】本発明実施例の画像読取りセンサ装置の要部断面図で、原稿表面の色データ読取りに適する照射角から発した光が、高反射率の原稿から反射した場合の光路を示す図
【図３】本発明実施例の画像読取りセンサ装置の要部断面図で、原稿表面の反射特性読取りに適する角度から発した光が、高反射率の原稿から反射した場合の光路を示す図
【図４】従来の画像読取りセンサ装置の要部断面図
【符号の説明】
【００１８】
１、１１  ライトガイド
１ａ      光源からの光出射部
１ｂ      光源からの光出射部
２、１２  原稿台
３、１３  原稿
４、１４  センサ基板
５、１５  ラインセンサ素子
６、１６  筐体
７、１７  ロッドレンズ
８        光源のＬＥＤ
９、１９  光源のＬＥＤ
【図１】
2007036569.tif 000003
【図２】
2007036569.tif 000004
【図３】
2007036569.tif 000005
【図４】
2007036569.tif 000006